(57)【要約】      （修正有）【課題】木造枠組構造で作られる住宅の床、天井、または屋根の部分を構成する枠組が異なった距離の縦枠材間内寸法を含む場合であっても、１つの種類の合成樹脂発泡体製の断熱材を施工現場に用意するのみで、内寸法の異なるすべての縦枠材間に容易にかつ確実に挿入できる木造枠組構造用の断熱材を得る。【解決手段】横幅Ｂ×奥行Ｋ（＞Ｂ）である角材を基材とし縦枠材間の標準内寸法がＡであり、第１の非標準内寸法がＡｘ（＝（Ａ＋（Ｋ−Ｂ）／２））である木造枠組構造の床、天井、または屋根用の枠組における縦枠材間に挿入される合成樹脂発泡体製の断熱材１０であり、前面側の横幅ａ１は前記Ａｘより小さく、後面側の横幅ａ２は前記Ａｘより大きくする。断熱材１０は長手方向に沿う１本以上の後面側に開放したＶ字状の割溝２１〜２３を有し、Ｖ字状の割溝２１〜２３のいずれかから断熱材の一部を除去することで異なる横幅寸法の部分断熱材５０を得る。【選択図】図３
2013076226.tif 000002
【特許請求の範囲】
【請求項１】
横幅Ｂ（ｍｍ）×奥行Ｋ（ｍｍ）（＞Ｂ（ｍｍ））である角材を基材とし縦枠材間の標準内寸法がＡ（ｍｍ）である木造枠組構造での枠組であって、住宅の床、天井、または屋根の部分を構成する枠組における前記縦枠材間に挿入される合成樹脂発泡体製の断熱材であり、
前記断熱材は長手方向に沿う１本以上の後面側に開放したＶ字状の割溝を有しかつ断熱材の前面側の幅寸法ａ１（ｍｍ）は当該枠組の第１の非標準内寸法Ａｘ（＝（Ａ＋（Ｋ−Ｂ）／２）（ｍｍ））より小さく、後面側の幅寸法ａ２（ｍｍ）は前記Ａｘ（ｍｍ）より大きくされており、
前記Ｖ字状の割溝のいずれかから断熱材の一部を除去することにより、前記標準内寸法Ａ（ｍｍ）である縦枠材間または前記第１の非標準内寸法Ａｘとは異なる第２の非標準内寸法Ａｙ（ｍｍ）である縦枠材間に挿入可能な部分断熱材であって、その前面側の幅寸法ａｘ１（ｍｍ）は挿入されるべき縦枠材間の標準内寸法Ａ（ｍｍ）または第２の非標準内寸法Ａｙ（ｍｍ）より小さく、後面側の幅寸法ａｘ２（ｍｍ）は標準内寸法Ａ（ｍｍ）または第２の非標準内寸法Ａｙ（ｍｍ）より大きくされた部分断熱材を得ることができることを特徴とする木造枠組構造用の断熱材。
【請求項２】
前記標準内寸法Ａ（ｍｍ）である縦枠材間に挿入可能な大きさの部分断熱材が得られる位置に前記Ｖ字状の割溝が第１のＶ字状の割溝として形成されていることを特徴とする請求項１に記載の木造枠組構造用の断熱材。
【請求項３】
前記第２の非標準内寸法Ａｙ（ｍｍ）が（Ａ−Ｂ／２）（ｍｍ）である縦枠材間に挿入可能な大きさの部分断熱材が得られる位置に前記Ｖ字状の割溝が第２のＶ字状の割溝として形成されていることを特徴とする請求項２に記載の木造枠組構造用の断熱材。
【請求項４】
前記第２の非標準内寸法Ａｙ（ｍｍ）が（Ａ−Ｂ）（ｍｍ）である縦枠材間に挿入可能な大きさの部分断熱材が得られる位置に前記Ｖ字状の割溝が第３のＶ字状の割溝として形成されていることを特徴とする請求項２または３に記載の木造枠組構造用の断熱材。
【請求項５】
基材としての角材が横幅Ｂ＝３８ｍｍ、奥行Ｋ＝８９ｍｍ、縦枠材間の標準内寸法Ａ＝４１７ｍｍである木造枠組構造の住宅の床、天井、または屋根の部分を構成する枠組の前記縦枠材間に挿入される請求項１ないし４のいずれか一項に記載の木造枠組構造用の断熱材であって、前記各Ｖ字状の割溝の後面側の開口幅が略６〜１０ｍｍであることを特徴とする木造枠組構造用の断熱材。
【請求項６】
横幅Ｂ（ｍｍ）×奥行Ｋ（ｍｍ）（＞Ｂ（ｍｍ））である角材を基材とした木造枠組構造での枠組であって、枠組の縦枠材間の内寸法がＡ（ｍｍ）である内寸法標準部と、標準内寸法Ａ（ｍｍ）よりも広い非標準内寸法Ａｘ（＝（Ａ＋（Ｋ−Ｂ）／２）（ｍｍ））である第１の非標準部と、非標準内寸法Ａｘとは異なる第２の非標準内寸法Ａｙ（ｍｍ）である第２の非標準部とを備え、住宅の床、天井、または屋根の部分を構成する枠組の縦枠材間に、前記請求項１ないし５のいずれか一項に記載の断熱材を挿入した木造枠組構造での断熱構造であり、前記第１の非標準部には前記断熱材がそのまま挿入されており、前記標準部および第２の非標準部には前記いずれかのＶ字状の割溝の部分から一部を除去した後の部分断熱材が挿入されている構造を少なくとも備えることを特徴とする木造枠組構造の断熱構造。
【発明の詳細な説明】
【技術分野】
【０００１】
本発明は、木造枠組構造で作られる住宅での、特に床、天井、または屋根部分を構成する枠組内に挿入される合成樹脂発泡体製の断熱材と、それを用いた断熱構造に関する。
【背景技術】
【０００２】
ツーバイフォー構造と通称される木造枠組構造は知られており、日本においても木造枠組構造によって多くの住宅が建てられている。木造枠組構造では角材によって組まれた枠組そのものが構造材としての機能を果たすようになっており、日本では、一般に、３８ｍｍ×８９ｍｍの角材が枠組の基材として用いられている。また、軸組構造による住宅と同様、木造枠組構造においても、その床部分、屋根部分、あるいは天井部分に合成樹脂発泡体製の断熱材を挿入する断熱施工が行われている。木造枠組構造での枠材の標準的な構造材配置モジュールは４５５ｍｍであり、縦枠材間に挿入する断熱材の横幅は、一般に、４５５ｍｍ−３８ｍｍ＝４１７ｍｍのものが用いられる。
【０００３】
しかしながら、床工事、天井工事、屋根工事においては、壁部との取り合い箇所で、モジュール崩れが発生する。壁枠材幅が８９ｍｍである箇所の壁外側の際に幅３８ｍｍの床根太材、野縁材、垂木材に相当する縦枠材が配置されるが、配置モジュールの測定基準線は壁中央に設定されているため、壁部との取り合い箇所でのモジュール線と、床根太材、野縁材、垂木材に相当する縦枠材の中心線とは、２５．５ｍｍだけ外側にずれている。この分、構造材間寸法（断熱材を充填する幅）は大きくなっている。
【０００４】
さらに、木造枠組構造において、床根太材、野縁材、垂木材に相当する縦枠材において、構造上補強が必要となる箇所では、同じ基材である角材を２枚重ねて使用されることが多い。この場合に、構造材幅は３８×２＝７６ｍｍとなり、この分、構造材間寸法（断熱材を充填する幅）は小さくなる。
【０００５】
そのように構造材間寸法（縦枠材間）の内寸法が変化しても、標準横幅の断熱材を用いて容易に断熱施工ができるように、特許文献１には、断熱材の側縁から幅方向に縦枠材間の横幅の半分および横幅分だけ入り込んだ位置に２本のスリットを形成し、該スリットを利用して断熱材の一部を分離することで、残りの部分断熱材を縦枠材間の異なった内寸法箇所に容易に挿入できるようにした木造枠組構造用の断熱材が記載されている。
【０００６】
また、特許文献２には、長方形である合成樹脂発泡体製の断熱材の側縁に沿ってＶ字状の割溝を形成するとともに、その断熱材の前面側の幅寸法は挿入すべき構造部材間の間隔よりも狭く設定し、後面側の幅寸法は挿入すべき構造部材間の間隔よりも広く設定した建築用断熱材が記載されている。この断熱材は、その前面と後面の寸法の違いから、隣接する構造部材間への挿入は容易であり、その後、さらに押し込む過程でＶ字状の割溝が次第に狭くなっていくことで、断熱材は構造部材間にしっかりと嵌め込まれた状態となる。
【先行技術文献】
【特許文献】
【０００７】
【特許文献１】特開平７−２１７０１５号公報
【特許文献２】特開平１０−１１０４８３号公報
【発明の概要】
【発明が解決しようとする課題】
【０００８】
特許文献１に記載される木造枠組構造用の断熱材は、スリットを利用して一部を分離した部分断熱材を施工現場で調整することで、縦枠材間の内寸法が異なっている場所に対しても容易に挿入することができる利点がある。しかし、特許文献１に記載される断熱材の横幅は挿入すべき縦枠材間の内寸法よりも少し幅の広いものとされており、挿入する作業が容易とはいえない。また、木造枠組構造において、一般に、寸法が３８ｍｍ×８９ｍｍの角材を縦枠材および横枠材として用いているために、前記したように、床工事、天井工事、屋根工事において、壁部との取り合い箇所で、モジュール崩れが発生し、モジュール線と、床根太材、野縁材、垂木材に相当する縦枠材の中心線とは、２５．５ｍｍ、すなわち縦枠材間の標準部４１７ｍｍよりも２５．５ｍｍ［＝（４１７＋（８９−３８）／２）ｍｍ］だけ広い４４２．５ｍｍとなるが、特許文献１に記載の断熱材では、この点の配慮はなされていない。
【０００９】
一方、特許文献２に記載の断熱材は、前面側の幅寸法を挿入すべき構造部材間の間隔よりも狭く設定し、後面側の幅寸法を挿入すべき構造部材間の間隔よりも広く設定したことで、隣接する構造部材間への挿入は容易であり、その後、さらに押し込むことで、断熱材は構造部材間にしっかりと圧入された状態となる。しかし、異なった間隔の構造部材間に挿入するために、一部を除去して部分断熱材にするという技術についてはまったく示唆されていない。
【００１０】
本発明は、上記の事情に鑑みてなされたものであり、木造枠組構造で作られる住宅での、特に床、天井、または屋根部分を構成する枠組が異なった距離の縦枠材間内寸法を含む場合であっても、１つの種類の合成樹脂発泡体製の断熱材を施工現場に用意するのみで、内寸法の異なるすべての縦枠材間に容易にかつ確実に挿入することのできる木造枠組構造用の断熱材を提供することを課題とする。また、その断熱材を用いた木造枠組構造における、特に床、天井、または屋根部の断熱構造を提供することを課題とする。
【課題を解決するための手段】
【００１１】
本発明による木造枠組構造用の断熱材は、横幅Ｂ（ｍｍ）×奥行Ｋ（ｍｍ）（＞Ｂ（ｍｍ））である角材を基材とし縦枠材間の標準内寸法がＡ（ｍｍ）である木造枠組構造での枠組であって、住宅の床、天井、または屋根の部分を構成する枠組における前記縦枠材間に挿入される合成樹脂発泡体製の断熱材であり、前記断熱材は長手方向に沿う１本以上の後面側に開放したＶ字状の割溝を有しかつ断熱材の前面側の幅寸法ａ１（ｍｍ）は当該枠組の第１の非標準内寸法Ａｘ（＝（Ａ＋（Ｋ−Ｂ）／２）（ｍｍ））より小さく、後面側の幅寸法ａ２（ｍｍ）は前記Ａｘ（ｍｍ）より大きくされており、前記Ｖ字状の割溝のいずれかから断熱材の一部を除去することにより、前記標準内寸法Ａ（ｍｍ）である縦枠材間または前記第１の非標準内寸法Ａｘとは異なる第２の非標準内寸法Ａｙ（ｍｍ）である縦枠材間に挿入可能な部分断熱材であって、その前面側の幅寸法ａｘ１（ｍｍ）は挿入されるべき縦枠材間の標準内寸法Ａ（ｍｍ）または第２の非標準内寸法Ａｙ（ｍｍ）より小さく、後面側の幅寸法ａｘ２（ｍｍ）は標準内寸法Ａ（ｍｍ）または第２の非標準内寸法Ａｙ（ｍｍ）より大きくされた部分断熱材を得ることができることを特徴とする。
【００１２】
上記の木造枠組構造用の断熱材は、前面側の幅寸法ａ１（ｍｍ）は、当該枠組の第１の非標準内寸法Ａｘ（ｍｍ）より狭く、後面側の幅寸法ａ２（ｍｍ）は当該枠組の第１の非標準内寸法Ａｘより広い。したがって、上記の寸法を備えた本発明による木造枠組構造用の断熱材は、前記標準内寸法Ａ（ｍｍ）よりも広い前記第１の非標準内寸法Ａｘである縦枠材間の第１の非標準部へ容易に挿入することができる。その後、さらに押し込む過程で、前記Ｖ字状の割溝の溝幅が次第に狭くなっていき、最後には、両側面を対向する縦枠材の側面に密着させた姿勢で縦枠材間に挿入された状態となる。それにより、縦枠材間の前記第１の非標準部には確実な断熱層が形成される。
【００１３】
なお、ここにおいて、Ａｘ＝（Ａ＋（Ｋ−Ｂ）／２）の値は、前記したように、横幅Ｂ（ｍｍ）×奥行Ｋ（ｍｍ）（＞Ｂ（ｍｍ））である角材を基材とし縦枠材間の標準内寸法がＡ（ｍｍ）である木造枠組構造での枠組であって、当該枠組が住宅の床、天井、または屋根の枠組として用いられる場合での、モジュール崩れが生じている箇所、すなわち、壁部との取り合い箇所における縦枠材間の寸法（最も外側に位置する縦枠材とそれに隣接する縦枠材との間の距離）である。
【００１４】
標準内寸法Ａ（ｍｍ）である縦枠材間または前記第１の非標準内寸法Ａｘとは異なる第２の非標準内寸法Ａｙ（ｍｍ）である縦枠材間に挿入するときには、形成されたＶ字状の割溝のいずれかから断熱材の一部を除去して部分断熱材とする。得られる部分断熱材においても、その前面側の幅寸法ａｘ１（ｍｍ）は、挿入すべき縦枠材間の標準内寸法Ａ（ｍｍ）または第２の非標準内寸法Ａｙ（ｍｍ）より小さく、後面側の幅寸法ａｘ２（ｍｍ）は標準内寸法Ａ（ｍｍ）または第２の非標準内寸法Ａｙ（ｍｍ）より大きくされている。したがって、枠組を構成する前記縦枠材間の内寸法標準部および第２の非標準部にも、前記部分断熱材を容易に挿入することができる。その後、さらに押し込む過程で、Ｖ字状の割溝をさらに有している場合には、当該Ｖ字状の溝幅が次第に狭くなっていくことで、またＶ字状の割溝を有していない場合には、部分断熱材を形成する合成樹脂発泡体自体がわずかに変形することで、最終的に、部分断熱材の両側面を対向する縦枠材の側面に密着させた姿勢で、前記標準部および第２の非標準部の縦枠材間にしっかりと挿入された状態となる。それにより、縦枠材間の標準部および第２の非標準部にも確実に断熱層が形成される。
【００１５】
本発明による木造枠組構造用の断熱材の一態様において、断熱材は、前記標準内寸法Ａ（ｍｍ）である縦枠材間に挿入可能な大きさの部分断熱材が得られる位置に前記Ｖ字状の割溝が第１のＶ字状の割溝として形成されていることを特徴とする。
【００１６】
この態様の断熱材は、前記第１のＶ字状の割溝から一部を分離した後の部分断熱材を、住宅の床、天井、または屋根の部分を構成する枠組における縦枠材間の標準内寸法がＡ（ｍｍ）である標準部に容易に挿入することができ、挿入後にはそこに安定した断熱層が形成される。
【００１７】
本発明による木造枠組構造用の断熱材の別の態様において、断熱材は、前記第２の非標準内寸法Ａｙ（ｍｍ）が（Ａ−Ｂ／２）（ｍｍ）である縦枠材間に挿入可能な大きさの部分断熱材が得られる位置に前記Ｖ字状の割溝が第２のＶ字状の割溝として形成されていることを特徴とする。
【００１８】
この態様の断熱材は、前記した枠組における縦枠材間標準部を構成する一方の縦枠材に沿って、補強の目的で同じ寸法の縦枠材を並置することで形成される、前記第２の非標準部である縦枠材間に、その第２のＶ字状の割溝を利用して一部を除去して得られる部分断熱材を容易に挿入することができ、挿入後にはそこに安定した断熱層が形成される。
【００１９】
本発明による木造枠組構造用の断熱材のさらに別の態様において、断熱材は、前記第２の非標準内寸法Ａｙ（ｍｍ）が（Ａ−Ｂ）（ｍｍ）である縦枠材間に挿入可能な大きさの部分断熱材が得られる位置に前記Ｖ字状の割溝が第３のＶ字状の割溝として形成されていることを特徴とする。
【００２０】
この態様の断熱材は、前記した枠組における縦枠材間標準部を構成する双方の縦枠材に沿って、補強の目的で同じ寸法の縦枠材を並置することで形成される、前記第２の非標準部である縦枠材間に、その第３のＶ字状の割溝を利用して一部を除去して得られる部分断熱材を容易に挿入することができ、挿入後にはそこに安定した断熱層が形成される。
【００２１】
本発明による木造枠組構造用の断熱材において、前記第１のＶ字状の割溝のみが形成されていてもよい。第１のＶ字状の割溝のみを有する断熱材は、前記枠組における縦枠材間の前記第１の非標準部と標準部との間で共用可能となる。第１のＶ字状の割溝と第２のＶ字状の割溝とが形成されていてもよい。この態様の断熱材では、前記枠組における縦枠材間の前記第１の非標準部と標準部と第２の非標準部であって一方の縦枠材のみに沿って補強の目的で同じ寸法の縦枠材が並置されている第２の非標準部との間で共用可能となる。第１のＶ字状の割溝と第２のＶ字状の割溝と第３のＶ字状の割溝とが形成されていてもよい。この態様の断熱材では、前記枠組における縦枠材間の前記第１の非標準部と標準部と第２の非標準部であって一方およびまたは双方の縦枠材に沿って補強の目的で同じ寸法の縦枠材が並置されている第２の非標準部との間で共用可能となる。
【００２２】
本発明による木造枠組構造用の断熱材を取り付ける対象となる枠組の寸法、および枠組を構成する基材としての角材の寸法に特に限定はない。現在の一般的な木造枠組構造では、木造枠組を構成する基材としての縦枠材および横枠材の寸法は、横幅Ｂ＝３８ｍｍ、奥行Ｋ＝８９ｍｍ、縦枠材間の標準内寸法Ａ＝４１７ｍｍである。本発明による断熱材が上記寸法の木造枠組構造での枠組であって、住宅の床、天井、または屋根の部分を構成する枠組に挿入される合成樹脂発泡体製の断熱材である場合、前記第１のＶ字状の割溝の内側側面の位置は、断熱材の後面における側端縁から略２５〜３５ｍｍ程度だけ内側に入った位置となり、前記第２のＶ字状の割溝の内側側面の位置は、断熱材の後面における側端縁から略４４〜５２ｍｍ程度だけ内側に入った位置となり、前記第３のＶ字状の割溝の内側側面の位置は、断熱材の後面における側端縁から略７０〜７７ｍｍ程度だけ内側に入った位置となる。
【００２３】
本発明による木造枠組構造用の断熱材において、Ｖ字状の割溝の後面側の開口幅は任意であってよいが、木造枠組を構成する縦枠材は横幅Ｂ＝３８ｍｍ、奥行Ｋ＝８９ｍｍ、縦枠材間の標準内寸法Ａ＝４１７ｍｍである木造枠組である場合に、Ｖ字状の割溝の後面側の開口幅は略６〜１０ｍｍであることは、作業の容易性の観点から望ましい。また、Ｖ字状の割溝の後面側の開口幅を略６〜１０ｍｍ程度とすることで、内寸法Ａｘ（＝（Ａ＋（Ｋ−Ｂ）／２）（ｍｍ））である前記第１の非標準部において対向する縦枠材の一方または双方に、補強材として同じ角材を並置するときの縦枠材間距離と、内寸法Ａｙである前記第２の非標準部において対向する縦枠材の一方または双方に、補強材として同じ角材を並置するときの縦枠材間距離との差分を、Ｖ字状の割溝の後面側の開口の開き幅で吸収することが可能となり、より少ない数のＶ字状の割溝を形成した１種の断熱材を用いて、住宅の床、天井、または屋根の部分を構成する枠組に生じる距離の異なるすべての縦枠材間に対処することが可能となる。
【００２４】
前記した各Ｖ字状の割溝は、断熱材の一方の側縁から距離の順に順番に配列するようにしてもよいが、断熱材全体の強度とバランスを考慮すると、断熱材の双方の側縁側に分散するようにして配置することが望ましい。それにより、施工現場でのＶ字状の割溝を利用しての分離作業も容易かつ確実となる。
【００２５】
本発明は、さらに、上記の木造枠組構造用の断熱材を用いた木造枠組の断熱構造として、横幅Ｂ（ｍｍ）×奥行Ｋ（ｍｍ）（＞Ｂ（ｍｍ））である角材を基材とした木造枠組構造での枠組であって、枠組の縦枠材間の内寸法がＡ（ｍｍ）である内寸法標準部と、標準内寸法Ａ（ｍｍ）よりも広い非標準内寸法Ａｘ（＝（Ａ＋（Ｋ−Ｂ）／２）（ｍｍ））である第１の非標準部と、非標準内寸法Ａｘとは異なる第２の非標準内寸法Ａｙ（ｍｍ）である第２の非標準部とを備え、住宅の床、天井、または屋根の部分を構成する枠組の縦枠材間に、上記したいずれかの断熱材を挿入した木造枠組構造での断熱構造であり、前記第１の非標準部には前記断熱材がそのまま挿入されており、前記標準部および第２の非標準部には前記いずれかのＶ字状の割溝の部分から一部を除去した後の部分断熱材が挿入されている構造を少なくとも備えることを特徴とする木造枠組構造の断熱構造をも開示する。
【発明の効果】
【００２６】
本発明による木造枠組構造用の断熱材を用いることにより、木造枠組構造で作られる住宅の床、天井、または屋根の部分を構成する枠組が異なった距離の縦枠材間内寸法を含む場合であっても、１つの種類の合成樹脂発泡体製の断熱材を施工現場に用意するのみで、内寸法の異なるすべての縦枠材間に容易にかつ確実に挿入することができるようになる。それにより、断熱施工の容易性が得られるとともに、断熱材の在庫管理あるいは製品管理も容易となる。
【図面の簡単な説明】
【００２７】
【図１】木造枠組構造における枠組での床組と屋根垂木組の構造を寸法も入れて説明する第１の図であり、（ａ）は断面図、（ｂ）は平面図。
【図２】木造枠組構造における枠組での床組と屋根垂木組の構造を寸法も入れて説明する第２の図であり、（ａ）は断面図、（ｂ）は平面図。
【図３】本発明による断熱材の一例を寸法も入れて説明する短手方向の断面図（ａ）とそれを縦枠材間の第１の非標準部に挿入した後の状態を示す図（ｂ）。
【図４】部分断熱材を縦枠材間の標準部、第１の非標準部、第２の非標準部に挿入した後の状態を示す５つの図。
【発明を実施するための形態】
【００２８】
以下、本発明を実施の形態に基づき説明する。最初に、木造枠組構造の住宅での床または屋根の部分での枠組について説明する。
【００２９】
図１は、床組あるいは屋根垂木組の構造を標準的な枠組での寸法（単位ｍｍ）も入れて示している。枠組１は、基材である同じ寸法の角材を縦枠材２および横枠材３として用い、全体が矩形状に組み付けられている。通常、角材の寸法は、横幅Ｂが３８ｍｍ、奥行Ｋが８９ｍｍである。枠組１での隣接する縦枠材２、２の標準部での中心間の距離（配置モジュール）Ｚは４５５ｍｍとされており、したがって、図１にＦ１で示す縦枠材間標準部での内寸法Ａは４１７ｍｍとなっている。なお、床枠組では縦枠材２は根太に相当し、屋根垂木枠組では縦枠材２は垂木に相当する。図示しないが、天井に木造枠組構造が用いられる場合があるが、天井枠組でも構成は図に示す枠組と同じであり、その場合に、縦枠材２は野縁に相当する。
【００３０】
木造枠組構造における床、天井、屋根においては、壁部との取り合い箇所で、モジュール崩れが発生する。前記したように、基材の奥行幅Ｋが８９ｍｍである箇所の壁外側の際に幅３８ｍｍの根太等に相当する縦枠材が配置されるときに、配置モジュールの測定基準線は壁中央に設定されているため、壁部との取り合い箇所でのモジュール線と、標準部でのモジュール線とは、２５．５ｍｍ（＝（Ｋ−Ｂ）／２＝（８９−３８）／２）だけ外側にずれることとなる。図１でＦ２として示す部分が、前記モジュール崩れの部分であり、ここでの縦枠材間の内寸法Ａｘは４４２．５ｍｍ（＝４１７ｍｍ＋２５．５ｍｍ）となっている。この領域を本発明では第１の非標準部といい、その寸法を第１の非標準内寸法Ａｘという。
【００３１】
また、木造枠組構造における床、天井、屋根においては、構造上補強が必要となる箇所に、同じ基材である角材を２枚重ねて使用される。この場合に、縦枠材が１枚−２枚使いで構成される縦枠材間においては、１枚使いの縦枠材の中心と２枚使いの縦枠材の中心との距離が構造材の配置モジュールＺ＝４５５ｍｍとされる。したがって、ここでの縦枠材間距離は、図１にＦ３の領域として示すように、３９８ｍｍ（＝Ａ−Ｂ／２＝４１７−３８／２）となる。この領域を第２の非標準部の１といい、その寸法を第２の非標準内寸法Ａｙ１という。縦枠材が２枚−２枚使いで構成される縦枠材間も設定される。この場合には、双方の２枚使いの縦枠材の中心間距離が構造材の配置モジュールＺ＝４５５ｍｍとされる。したがって、ここでの縦枠材間距離は、図１にＦ４の領域として示すように、３７９ｍｍ（＝Ａ−Ｂ＝４１７−３８）となる。この領域を第２の非標準部の２といい、その寸法を第２の非標準内寸法Ａｙ２という。
【００３２】
上記した木造枠組構造における床、天井、屋根の枠材での構造材の補強は、前記したモジュール崩れの領域、すなわち図１にＦ２で示した領域でも行われる。図２でＦ５およびＦ６として示す領域がその領域である。Ｆ５の領域は、前記モジュール崩れの領域Ｆ２において縦枠材が２枚−１枚使いで構成される場合であり、ここでの縦枠材間距離は４０４．５ｍｍ（＝Ａｘ−Ｂ＝４４２．５−３８）となる。この領域を第１の非標準部の２といい、その寸法を第の非標準内寸法Ａｘ１という。モジュール崩れの領域Ｆ２においても、縦枠材が２枚−２枚使いで構成される縦枠材間が設定される。Ｆ６はこの領域を示しており、ここでの縦枠材間距離は３８５．５ｍｍ（＝Ａｘ−Ｂ−Ｂ／２＝４４２．５−３８−１９）となる。この領域を第１の非標準部の３といい、その寸法を第の非標準内寸法Ａｘ２という。
【００３３】
すなわち、木造枠組構造における住宅の床、天井、または屋根の部分を構成する枠組を合成樹脂発泡体製の断熱材を用いて断熱しようとすると、前記したように、領域Ｆ１〜Ｆ６の横幅を備えた６種類の断熱材を用意することが必要となる。本発明によれば、そのうちの２種類あるいは３種類以上の断熱材を１つの断熱材から施工現場で容易に調整できるようにした木造枠組構造用の断熱材を得ることができる。
【００３４】
図３（ａ）は、本発明による断熱材１０の一例を短手方向の断面で示している。なお、断熱材１０の素材としての合成樹脂発泡体は、柔軟性を有し圧縮可能であり、反発弾性を有していて、枠組１の縦枠材間に圧挿した場合に、縦枠材の側面に断熱材の側面が密着する性質を有するものであるのが好ましい。具体的には、ポリオレフィン系樹脂やポリスチレン系樹脂を、押出発泡成形あるいはビーズ発泡成形によって成形したものが好ましい。
【００３５】
断熱材１０は所要長さの長尺状部材であり、図３に示すように、左右の側面１１、１２と、前面１３と後面１４とを備える。側面に沿うようにして長手方向に適数（図示のものでは３本）のＶ字状の割溝２１、２２、２３が形成されている。各Ｖ字状の割溝は後面１４側で開放しており、各割溝の底部は前面１３の近傍にまで達している。
【００３６】
断熱材１０は、前面側の幅寸法はａ２が後面側の幅寸法はａ１よりも広く、かつ、前面側の幅寸法ａ１は前記した縦枠材間の第１の非標準部の内寸法Ａｘよりも小さくされ、後面側の幅寸法ａ２は第１の非標準部の内寸法Ａｘよりも大きくされている。したがって、左右の側面１１、１２は後面１４側から前面１３側に向けて次第に幅が狭くなる方向に傾斜した面となっている。
【００３７】
前記Ｖ字状の割溝２１とＶ字状の割溝２２は、断熱材１０の幅方向の中央部から左側面１１側に偏位た位置に形成されており、Ｖ字状の割溝２３は、断熱材１０の幅方向の中央部から右側面１２側に偏位した位置に形成されている。また、各Ｖ字状の割溝２１、２２、２３の中心線の方向は、断熱材１０の幅方向の中央部での垂線に対して平行ではなく、断熱材１０の幅方向の中央部に向かう方向にわずかに傾斜している。したがって、断熱材１０の厚みは全幅方向にほぼ同じであるが、図示されるように、割溝２１と割溝２２は、図左下方向にわずかに傾斜した姿勢となっており、Ｖ字状の割溝２３は、図で右下方向にわずかに傾斜した姿勢となっている。さらに、Ｖ字状の割溝２１、２２、２３のいずれかから断熱材１０の一部を除去して部分断熱材５０としたときに、該部分断熱材５０の前面１３側の幅寸法ａｘ１は後面１４側の幅寸法はａｘ２よりも狭くなっている。
【００３８】
具体的には、図３（ａ）に示すように、Ｖ字状の割溝２１の左側面１１側の側面は該左側面１１の後面側端から略２５ｍｍの位置にあり、その開口幅は略７ｍｍとされている。Ｖ字状の割溝２２の左側面は前記Ｖ字状の割溝２１の右側面から略３７．５ｍｍの位置にあり、その開口幅は略７ｍｍとされている。また、Ｖ字状の割溝２３の右側面１２側の側面は右側面１２の後面側端から略４４ｍｍの位置にあり、その開口幅は略７ｍｍとされている。上記寸法のものを水平面に投影すると図示に示したような寸法となり、断熱材１０の後面１４側の横幅寸法ａ２は略４６０．９ｍｍとなる。
【００３９】
断熱材１０の前面１３側は、左側面１１の前面側端と前記Ｖ字状の割溝２１の中心線の延長部間の距離は略２０．９ｍｍ、Ｖ字状の割溝２１の中心線の延長部とＶ字状の割溝２２の中心線の延長部間の距離は略３６．４ｍｍ、Ｖ字状の割溝２２の中心線の延長部とＶ字状の割溝２３の中心線の延長部間の距離は略３３４．５ｍｍ、Ｖ字状の割溝２３の中心線の延長部と右側面１２の前面側端との距離は略３９．８ｍｍである。上記寸法のものを水平面に投影すると図示に示したような寸法となり、断熱材１０の前面１３側の横幅寸法ａ１は略４３１．０ｍｍとなる。
【００４０】
前記したように、図１で説明した壁枠組１において、第１の非標準部Ｆ２での縦枠材２、２間の内寸法Ａｘ＝４４２．５ｍｍであり、前記距離ａ１＝４３１．０ｍｍ＜Ａｘ＝４４２．５ｍｍである。また、前記距離ａ２＝４６０．９ｍｍ＞Ａｘ＝４４２．５ｍｍである。したがって、上記寸法の断熱材１０は、その前面１３側から、第１の非標準部Ｆ２での縦枠材２、２間に容易に挿入することができ、さらに押し込む過程で、各Ｖ字状の割溝２１、２２、２３の開口は次第に狭くなる方向に閉じていき、最後には図３（ｂ）に示すように、各Ｖ字状の割溝２１、２２、２３の開口幅が略０．５ｍｍとなった状態で第１の非標準部Ｆ２での縦枠材２、２間に挿入される。
【００４１】
次に、図１に示すＡ＝４１７ｍｍである縦枠材間の標準部Ｆ１の領域に断熱材１０を挿入する場合を説明する。この場合には、図３（ａ）に示した断熱材１０から前記Ｖ字状の割溝２１を利用して、図で左側部分を除去した部分断熱材５０ａを用いる。部分断熱材５０ａの前面側の幅寸法ａｘ１は、略４３１−略２１＝略４１０ｍｍとなり、Ａ＝４１７ｍｍより小さい。また、後面側の幅寸法ａｘ２は、略４６０．９−略２４．５＝略４３６．４ｍｍとなり、Ａ＝４１７ｍｍより大きい。そのために、上記寸法の部分断熱材５０ａはその前面１３側から、縦枠材間の標準部Ｆ１での縦枠材２、２間に容易に挿入することができ、さらに押し込む過程で、第２と第３のＶ字状の割溝２２、２３の開口が次第に狭くなる方向に閉じていき、最後には図４（ａ）に示すように、第２と第３のＶ字状の割溝２２、２３の割溝２２、２３の開口幅が略０．５ｍｍとなった状態で、図１に示した標準部Ｆ１における縦枠材２、２間に挿入される。したがって、図示の断熱材１０において、前記Ｖ字状の割溝２１は本発明でいう「第１のＶ字状の割溝」に相当する。
【００４２】
次に、図１にＦ３で示す前記した１枚−２枚間隔の領域、すなわち縦枠材間の距離がＡｙ１＝３９８ｍｍである第２の非標準部の１に、断熱材１０を挿入する場合を説明する。この場合には、図３（ａ）に示した断熱材１０からＶ字状の割溝２３を利用して、図でそれより右側部分を除去した部分断熱材５０ｂを用いる。部分断熱材５０ｂの前面１３側の幅寸法ａｘ１は、略４３１−略４０＝略３９１ｍｍとなり、Ａｙ１＝３９８ｍｍより小さい。また、後面１４側の幅寸法ａｘ２は、略４６０．９−略５０．７＝略４１０．２ｍｍとなり、Ａｙ１＝３９８ｍｍより大きい。そのために、上記寸法の部分断熱材５０ｂは、図１にＦ３として示した１枚−２枚間隔の領域に、前面１３側から容易に挿入することができ、さらに押し込む過程で、第１と第２のＶ字状の割溝２１、２２の開口が次第に狭くなる方向に閉じていき、最後には図４（ｂ）に示すように、第１と第２のＶ字状の割溝２１、２２の開口幅が略０．５ｍｍとなった状態で、縦枠間にしっかりと挿入される。したがって、図示の断熱材１０において、前記Ｖ字状の割溝２３は本発明でいう「第２のＶ字状の割溝」に相当する。
【００４３】
次に、図１にＦ４で示す前記した２枚−２枚間隔の領域、すなわち縦枠材間の距離がＡｙ２＝３７９ｍｍである第２の非標準部の２に、断熱材１０を挿入する場合を説明する。この場合には、図３（ａ）に示した断熱材１０からＶ字状の割溝２２を利用して、図でそれより左側部分を除去した部分断熱材５０ｃを用いる。部分断熱材５０ｃの前面１３側の幅寸法ａｘ１は、略４３１−略５７＝略３７４ｍｍとなり、Ａｙ２＝３７９ｍｍより小さい。また、後面１４側の幅寸法ａｘ２は、略４６０．９−略７５．３＝略３８５．６ｍｍとなり、Ａｙ２＝３７９ｍｍより大きい。そのために、上記寸法の部分断熱材５０ｃは、図１にＦ４として示した２枚−２枚間隔の領域に、前面１３側から容易に挿入することができ、さらに押し込む過程で、第３のＶ字状の割溝２３の開口が次第に狭くなる方向に閉じていき、最後には図４（ｃ）に示すように、第３のＶ字状の割溝２３の開口幅が略０．５ｍｍとなった状態で、縦枠間にしっかりと挿入される。したがって、図示の断熱材１０において、前記Ｖ字状の割溝２２は本発明でいう「第３のＶ字状の割溝」に相当する。
【００４４】
次に、図２にＦ５として示した、モジュール崩れＦ１における２枚−１枚間隔の領域、すなわち縦枠材間の距離がＡｘ１＝４０４．５ｍｍである第１の非標準部の２に、断熱材１０を挿入する場合を説明する。ここでは、Ａｘ１＝４０４．５ｍｍがＡｙ１＝３９８ｍｍに近いことから、前記した部分断熱材５０ｂをそのまま用いる。すなわち、前記したように、部分断熱材５０ｂの前面１３側の幅寸法ａｘ１は略３９１ｍｍであってＡｘ１＝４０４．５ｍｍより小さく、後面１４側の幅寸法ａｘ２は、略４１０．２ｍｍであってＡｘ１＝４０４．５ｍｍより大きい。そのために、部分断熱材５０ｂは、図２にＦ５として示した領域に、前面１３側から容易に挿入することができ、さらに押し込む過程で、第１と第２のＶ字状の割溝２１、２２の開口が次第に狭くなる方向に閉じていき、最後には図４（ｄ）に示すように、第１と第２のＶ字状の割溝２１、２２の開口幅が略３．５〜４ｍｍにまで狭まった状態で、縦枠間にしっかりと挿入される。
【００４５】
次に、図２にＦ６として示した、モジュール崩れＦ１における２枚−２枚間隔の領域、すなわち縦枠材間の距離がＡｘ２＝３８５．５ｍｍである第１の非標準部の３に、断熱材１０を挿入する場合を説明する。ここでは、Ａｘ２＝３８５．５ｍｍがＡｙ２＝３７９ｍｍに近いことから、前記した部分断熱材５０ｃをそのまま用いる。すなわち、前記したように、部分断熱材５０ｃの前面１３側の幅寸法ａｘ１は略３７４ｍｍであってＡｘ２＝３８５．５ｍｍより小さく、後面１４側の幅寸法ａｘ２は略３８５．６ｍｍであってＡｘ２＝３８５．５ｍｍより大きい。そのために、部分断熱材５０ｃは、図２にＦ６として示した領域に、前面１３側から容易に挿入することができ、さらに押し込むことで、図４（ｅ）に示すように、第３のＶ字状の割溝２３の開口幅が略７ｍｍとなった状態で、縦枠間にしっかりと挿入される。
【００４６】
なお、上記図３（ａ）に示した断熱材１０は本発明による断熱材の一つの実施の形態であって、本発明による断熱材はこれに限らない。前記した第１、第２、第３のＶ字状の割溝２１、２２、２３のすべてが断熱材に設けられている必要はなく、断熱施工しようとする木造枠組構造による住宅における床、天井、または屋根での枠組における前記標準部と非標準部の寸法の種類に応じて、第１、第２、第３のＶ字状の割溝２１、２２、２３のいずれかを選択的に形成してもよいことは、理解されよう。すなわち、図示しないが、「第１のＶ字状の割溝」に相当するＶ字状の割溝２１のみを有していてもよく、「第２のＶ字状の割溝」に相当するＶ字状の割溝２５のみを有していてもよく、「第３のＶ字状の割溝」に相当するＶ字状の割溝２２のみを有していてもよい。それらを適宜組み合わせて形成することもできる。
【符号の説明】
【００４７】
１…木造枠組構造での枠組、
２…縦枠材、
３…横枠材、
１０…断熱材、
５０（５０ａ〜５０ｃ）…部分断熱材、
Ａ…縦枠材間標準部での内寸法、
Ａｘ、Ａｙ…縦枠材間非標準部での内寸法、
Ｂ…基材としての枠材と横幅、
Ｋ…基材としての枠材の奥行、
ａ１…断熱材の前面側の幅寸法、
ａ２…断熱材の後面側の幅寸法、
ａｘ１…部分断熱材の前面側の幅寸法、
ａｘ２…部分断熱材の後面側の幅寸法。
【図１】
2013076226.tif 000003
【図２】
2013076226.tif 000004
【図３】
2013076226.tif 000005
【図４】
2013076226.tif 000006